(57)【特許請求の範囲】
【請求項１】
頭部布団ピースＦ1 と胴部布団ピースＦ2 と足部布団ピースＦ3 との各々が連結部材１によって分離自在に同一平面上に連結されている一方、
これら各布団ピースＦ1 ・Ｆ2 ・Ｆ3 のサック内には中綿Ｃとして、蓮茎様に多数の中空部を有するポリエステル繊維から成る高乾燥綿と、抗菌消臭性と防カビ性を有し、かつ、吸湿することによって吸着熱を発する高架橋アクリレート繊維から成る擬似ウール綿との混合綿が収容されていることを特徴とする部分洗濯可能な布団。
【請求項２】
ポリエステル繊維から成る高乾燥綿と、高架橋アクリレート繊維から成る疑似ウール綿とが、前者７に対し後者３の割合で混合された混合綿であることを特徴とする請求項１記載の部分洗濯可能な布団。
【請求項３】
連結部材１がスライドファスナーであって、このスライドファスナー連結部材１の舌片11・12が互いに連結される布団ピースＦ1 とＦ2 又はＦ2 とＦ3 の布団表側の端縁に取り付けられていることを特徴とする請求項１又は２記載の部分洗濯可能な布団。
【請求項４】
連結部材１が面ファスナーであることを特徴とする請求項１又は２記載の部分選択可能な布団。
【発明の詳細な説明】
【０００１】
【発明の属する技術分野】
本発明は、部分洗濯可能な布団、更に詳しくは、家庭でも手軽に洗濯することができ、特に、高齢者の介護用布団として好適の部分洗濯可能な布団に関するものである。
【０００２】
【従来の技術】
睡眠は、疲労の回復と病気療養に非常に大切な営みである。日本人の場合、この大切な睡眠を快適な状況の下で行なうのに大きな役割を果たしているのが布団であり、布団には清潔であること、吸湿性に富むこと、そして、適度な固さを有すること等の要件を備えていることが肝要である。
【０００３】
特に、在宅で介護される寝たきりの病人や老人などは、ずも失禁したりして、布団を汚すことが多く、このため、常に布団を清潔な状態に保っていようとすると家人には大変な苦労が強いられる。
【０００４】
しかも、失禁などで汚れた布団は、衣服等と異なり家庭で簡単に手洗いや洗濯機で洗濯するわけにはゆかず、専門の業者に委託するにも費用が嵩むといった問題があった。
【０００５】
そこで、従来では防水性のビニルカバーを布団に用いることで布団を汚さないようにしていた。しかし、これでは布団が持っている吸湿特性が失われてしまうのに加えて、寝汗や失禁による汚物が介護される人の身体まで汚してしまい、本人だけでなく周囲への負担も増すことになる。
【０００６】
【発明が解決しようとする課題】
本発明は、従来の布団に上記のような問題があることに鑑みて為されたものであり、その目的の第１は、汚れた箇所周辺だけを部分洗濯可能な布団を提供することにある。
【０００７】
また、本発明の第２の目的は、頭部分、胴部分、及び足部分に必要に応じて、３分割可能にして必要部分を洗濯に供することができる布団を提供することを目的とする。
【０００８】
本発明の第３の目的は、スライドファスナーまたは面ファスナーによって簡易に分離・接続操作をすることができる部分洗濯可能な布団を提供することを目的とする。
【０００９】
【課題を解決するための手段】
しかして、本発明者が上記目的を達成するために採用した手段を、添附図面を参照して説明すれば、次のとおりである。
【００１０】
即ち、本発明は、頭部布団ピースＦ1 と胴部布団ピースＦ2 と足部布団ピースＦ3 との各々が連結部材１によって分離自在に同一平面上に連結する一方、
これら各布団ピースＦ1 ・Ｆ2 ・Ｆ3 のサック内には中綿Ｃとして、蓮茎様に多数の中空部を有するポリエステル繊維から成る高乾燥綿、抗菌消臭性と防カビ性を有し、かつ、吸湿することによって吸着熱を発する高架橋アクリレート繊維から成る疑似ウール綿との混合綿を収容する、といった解決手段を採用して“部分洗濯可能な布団”を構成した点に特徴がある。
【００１１】
【発明の実施の形態】
以下、本発明を添附図面に示す実施形態に基づいて更に詳しく説明する。なお、図１は第１実施形態の斜視図、図２は第１実施形態の縦断面図、図３は第２実施形態の頭部布団ピースＦ1 を分離して示した斜視図である。
【００１２】
〔第１実施形態〕
第１実施形態としては、本発明を敷布団に適用した場合について説明する。この敷布団は、図１に示すごとく、頭部布団ピースＦ1 、胴部布団ピースＦ2 、足部布団ピースＦ3 と、これらの布団ピースＦ1 ・Ｆ2 ・Ｆ3 を順番に並列的に繋ぎ得るスライドファスナーを用いた連結部材１・１とによって構成されており、胴部布団ピースＦ2 の同一平面上の左右両側に、頭部布団ピースＦ1 と足部布団ピースＦ3 が配置され、各布団ピースＦ1 ・Ｆ2 ・Ｆ3 のそれぞれが隣接する辺に、舌片11・12と、クローズドティース、スライド、およびプルタブを含む従来周知のスライドファスナー１・１が縫着されている。
【００１３】
即ち、図２に示すように、スライドファスナー１の一方の舌片11が胴部布団ピースＦ2 の側面上部（布団表側）に縫着されており、他方の舌片12は頭部布団ピースＦ1 の側面上部（布団表側）に縫着されている。胴部布団ピースＦ2 と頭部布団ピースＦ1 の間にも、同様に、スライドファスナー１が縫着されている。このように、本実施形態では布団表側にスライドファスナー１が設けられているため、簡単にスライドファスナー１の開閉が行い得るようになっている。
【００１４】
また、各布団ピースＦ1 ・Ｆ2 ・Ｆ3 には、図２において符号Ｃにて指示される中綿が収容されている。この中綿Ｃは、繊維体内に蓮茎様の中空部を多数有するポリエステル繊維( デュポン<DuPont>社製：商品名「クォロフィル」）からなる高乾燥性綿と、消臭性、抗菌、防カビ性が付与され、吸湿することによって吸着熱を発生する高架橋アクリレート繊維（東洋紡社製：商品名「N-38」）からなる擬似ウール綿とが、７：３の割合で混合されており、全体として耐洗濯特性が高くなっている。なお、図１に示すように、各布団ピースＦ1 ・Ｆ2 ・Ｆ3 には格子状にキルティング加工が施されており、洗濯時における中綿Ｃの偏りを防止している。
【００１５】
このように、本実施形態の敷布団はスライドファスナー１・１を開閉着脱することにより、それぞれ連結されている各布団ピースＦ1 ・Ｆ2 ・Ｆ3 を簡単に分離することができる。しかも、中綿Ｃには耐洗濯特性の優れた素材を使用していることから、汚れた布団ピース( 例えば、胴部布団ピースＦ2 ）をファスナー１にて分離しさえすれば、家庭用洗濯機で洗濯可能なサイズになるので洗濯することができる。
【００１６】
〔第２実施形態〕
第２実施形態は、図３に示すように、連結部材１として、フック片13とループ片14とからなる面ファスナーを使用したところに特徴を有し、その他の構成は第１実施形態と同様である。即ち、本実施形態においては、同一平面上に並設された頭部布団ピースＦ1 に対向する胴部布団ピースＦ2 の側面に、面ファスナー１のフック片13が縫着され、頭部布団ピースＦ1 の側面に、面ファスナー１のループ片14が縫着されている。同じく、足部布団ピースＦ3 に対向する胴部布団ピースＦ2 の側面に、面ファスナー１のフック片13が縫着され、足部布団ピースＦ3 の側面に、面ファスナー１のループ片14が縫着されていることで、各布団ピースＦ1 ・Ｆ2 ・Ｆ3 の分離・連結を可能としている。
【００１７】
このように、第２実施形態は連結部材１として面ファスナーを使用しているので、布団の分離・連結を素早く行うことができると共に、各布団ピースの何れかの表裏を反転させて、他の布団ピースに連結し直すことも可能になる。よって、頭部布団ピースＦ1 の表側だけが汚れた場合には、この頭部布団ピースＦ1 の表裏を反転させて、胴部布団ピース
Ｆ2 に連結し直すといったことも可能になるのである。
【００１８】
本発明の実施形態は概ね上記のとおりであるが、本発明は前述の実施形態に限定されるものでは決してなく、「特許請求の範囲」の記載内において種々の変更が可能である。
例えば、上記実施形態では、敷布団を例にして説明したけれども、掛布団として構成してもよい。また、上記実施形態では、計３つの布団ピースを横分割式に構成したけれども、これに限定されるものではなく、より多数の布団ピースを組み合わせるようにしたり、縦分割式にしたりしてもよい。また、各布団ピースの大きさや形状についても、状況に応じて、種々の変更が可能である。
【００１９】
更にまた、これらの分離された布団ピースに個別の機能を持たせることも可能であり、例えば、足元に配設される布団ピースの中綿を、保温特性の秀れたものにすれば、就寝時には足元はホカホカと温かく、頭部は涼しいという、所謂「頭寒足熱」の状態にすることもでき、心地よい就寝の状態を実現することも可能である。更には各布団ピースの大きさや中綿の量などを個人の嗜好や個体特性に応じて選択し、自由に組み合わせることも可能であり、これら何れの変更態様も本発明の技術的範囲に属することはいうまでもない。
【００２０】
【発明の効果】
以上実施形態を挙げて説明したとおり、本発明に係る布団にあっては、頭部・同部そして足部用の布団ピースのサック内には中綿として、蓮茎様に多数の中空部を有するポリエステル繊維から成る高乾燥綿と、抗菌消臭性と防カビ性を有し、かつ、吸湿することによって吸着熱を発する高架橋アクリレート繊維から成る擬似ウール綿との混合綿が収容してあり、しかも各々の布団ピースが分離可能に構成してあるので、汚れた部分を取り外して洗濯機に投入して自動洗濯をすることが可能であり、何処の家庭でも手軽に苦痛なく洗濯することができて乾燥性および抗菌消臭性・防カビ性もあるので、常時、布団を清潔に保つことができる。また、前記布団ピースの中綿には高架橋アクリレート繊維から成る擬似ウール綿が含まれているので、就寝者の身体から出る汗を吸着して発熱するため肌触りが温かくよく安眠を促せる。
【００２１】
さらに、本発明に係る布団は分離可能なので、たとえ一つの布団ピースが、頻繁なる洗濯によって破損した場合にも、布団全体を買い換えなくとも、その布団ピースだけを買い換えることで済ませることができ、その上、個別の特性を有する布団ピースを自由に組み合わせることにより、各人の嗜好に応じた布団を形成することも可能となる。
【図面の簡単な説明】
【図１】本発明の第１実施形態である布団の斜視図である。
【図２】同第１実施形態の縦断面図である。
【図３】本発明の第２実施形態である布団の頭部布団ピースＦ1 を分離して示した斜視図である。
【符号の説明】
１        連結部材
11・12    スライドファスナーの舌片
13        面ファスナーのフック片
14        面ファスナーのループ片
Ｃ        中綿
Ｋ        キルティング加工
【図１】
0003666757.tif 000002
【図２】
0003666757.tif 000003
【図３】
0003666757.tif 000004